(57)【要約】【課題】遊技媒体を貯遊技媒体として預ける行為が敬遠されることを抑制することができる遊技媒体管理システム、管理装置、及び遊技用装置を提供することを目的とする。【解決手段】遊技台から払出された遊技媒体を計数する計数装置と、遊技店に登録された会員に付与された会員識別情報に対応付けて当該会員により預けられた遊技媒体を貯遊技媒体として管理すると共に、貯遊技媒体を遊技媒体として会員へ返還する際に、貯遊技媒体数から所定の手数料分を差引いた遊技媒体を前記会員へ返還する管理装置とを有する遊技媒体管理システムの計数装置に、遊技媒体の計数結果に対応する遊技媒体が管理装置により貯遊技媒体として管理される前に、当該計数結果に対応する遊技媒体が貯遊技媒体として管理された場合に、前記貯遊技媒体を前記会員へ返還する際の遊技媒体としての価値を示す暫定情報を表示する表示手段を設けた。【選択図】        図４
2010200960.tif 000002
【特許請求の範囲】
【請求項１】
遊技台から払出された遊技媒体を計数する計数手段を含む遊技用装置と、遊技店に登録された会員に付与された会員識別情報に対応付けて当該会員により預けられた遊技媒体を貯遊技媒体として管理すると共に、前記貯遊技媒体を遊技媒体として会員へ返還する際に、前記貯遊技媒体数から所定の手数料分を差引いた遊技媒体を前記会員へ返還する管理装置とを有する遊技媒体管理システムであって、
前記遊技用装置は、
遊技媒体の計数結果を前記管理装置へ送信する計数結果送信手段と、
前記計数結果に対応する遊技媒体が前記管理装置により貯遊技媒体として管理される前に、当該計数結果に対応する遊技媒体が貯遊技媒体として管理された場合に、前記貯遊技媒体を前記会員へ返還する際の遊技媒体としての価値を示す暫定情報を前記管理装置から受信する暫定情報受信手段と、
前記暫定情報受信手段により受信した前記暫定情報を表示する表示手段と
を有し、
前記管理装置は、
前記計数装置から受信した前記計数結果に基づいて、前記暫定情報を生成する暫定情報生成手段と、
前記暫定情報生成手段により生成された前記暫定情報を前記遊技用装置へ送信する暫定情報送信手段と
を有することを特徴とする遊技媒体管理システム。
【請求項２】
前記遊技用装置は、
前記会員識別情報が記憶された会員用記憶媒体を受付ける会員用記憶媒体受付手段を有し、
前記計数結果送信手段は、
前記計数結果と、前記会員用記憶媒体受付手段により受付中の会員用記憶媒体に記憶されている会員識別情報とを前記管理装置へ送信し、
前記暫定情報生成手段は、
前記遊技用装置から受信した会員識別情報に対応付けて管理している貯遊技媒体が存在する場合、当該管理している貯遊技媒体数と前記遊技用装置から受信した計数結果とを加算した合計貯遊技媒体を前記会員へ返還する際の遊技媒体としての価値を示す情報を前記暫定情報として生成することを特徴とする請求項１に記載の遊技媒体管理システム。
【請求項３】
遊技台から払出された遊技媒体を計数する計数手段を含む遊技用装置と、遊技店に登録された会員に付与された会員識別情報に対応付けて当該会員により預けられた遊技媒体を貯遊技媒体として管理すると共に、前記貯遊技媒体を遊技媒体として会員へ返還する際に、前記貯遊技媒体数から所定の手数料分を差引いた遊技媒体を前記会員へ返還する管理装置とを有する遊技媒体管理システムであって、
前記遊技用装置は、
遊技媒体の計数結果に対応する遊技媒体が前記管理装置により貯遊技媒体として管理される前に、当該計数結果に対応する遊技媒体が貯遊技媒体として管理された場合に、前記貯遊技媒体を前記会員へ返還する際の遊技媒体としての価値を示す暫定情報を生成する暫定情報生成手段と、
前記暫定情報生成手段により生成された前記暫定情報を表示する表示手段と
を有することを特徴とする遊技媒体管理システム。
【請求項４】
前記遊技用装置は、
前記会員識別情報が記憶された会員用記憶媒体を受付ける会員用記憶媒体受付手段と、
前記会員用記憶媒体受付手段により受付中の会員用記憶媒体に記憶されている会員識別情報を前記管理装置へ送信する会員識別情報送信手段と、
前記会員識別情報送信手段により送信された会員識別情報に対応付けて管理されている貯遊技媒体が存在する場合に、当該管理されている貯遊技媒体数を前記管理装置から受信する貯遊技媒体数受信手段と
を備え、
前記暫定情報生成手段は、
前記貯遊技媒体数受信手段により貯遊技媒体数が受信された場合に、当該貯遊技媒体数と前記計数結果とを加算した合計貯遊技媒体を前記会員へ返還する際の遊技媒体としての価値を示す情報を前記暫定情報として生成し、
前記管理装置は、前記計数装置から受信した会員識別情報に対応付けて管理している貯遊技媒体が存在する場合、当該管理している貯遊技媒体数を前記計数装置へ送信する貯遊技媒体数送信手段
を有することを特徴とする請求項３に記載の遊技媒体管理システム。
【請求項５】
前記遊技用装置は、
前記会員が前記表示手段に表示された前記暫定情報の内容を承認した場合に操作する操作手段を有し、
前記管理装置は、
前記操作手段が操作された場合に、前記遊技用装置から前記計数結果を受信して、当該計数結果に対応する遊技媒体を前記遊技用装置から受信した会員識別情報に対応付けて貯遊技媒体として管理することを特徴とする請求項２又は請求項４に記載の遊技媒体管理システム。
【請求項６】
前記管理装置は、
前記手数料を設定する手数料設定手段を有し、
前記表示手段は、
前記手数料設定手段により前記手数料が変更された場合に、前記手数料の変更が反映された前記暫定情報の表示を開始することを特徴とする請求項１〜５のいずれか１項に記載の遊技媒体管理システム。
【請求項７】
遊技台から払出された遊技媒体を計数する計数手段を含む遊技用装置と通信可能に接続され、遊技店に登録された会員に付与された会員識別情報に対応付けて当該会員により預けられた遊技媒体を貯遊技媒体として管理すると共に、前記貯遊技媒体を遊技媒体として会員へ返還する際に、前記貯遊技媒体数から所定の手数料分を差引いた遊技媒体を前記会員へ返還する管理装置であって、
前記遊技用装置から遊技媒体の計数結果を受信する計数結果受信手段と、
前記計数結果受信手段により受信した計数結果に対応する遊技媒体を貯遊技媒体として管理する前に、当該計数結果に対応する遊技媒体を貯遊技媒体として管理した場合に、前記貯遊技媒体を前記会員へ返還する際の遊技媒体としての価値を示す暫定情報を生成する暫定情報生成手段と、
前記暫定情報生成手段により生成した前記暫定情報を前記遊技用装置へ送信する暫定情報送信手段と
を有することを特徴とする管理装置。
【請求項８】
遊技店に登録された会員に付与された会員識別情報に対応付けて当該会員により預けられた遊技媒体を貯遊技媒体として管理すると共に、前記貯遊技媒体を遊技媒体として会員へ返還する際に、前記貯遊技媒体数から所定の手数料分を差引いた遊技媒体を前記会員へ返還する管理装置と通信可能に接続され、遊技台から払出された遊技媒体を計数する計数手段を含む遊技用装置であって、
遊技媒体の計数結果に対応する遊技媒体が前記管理装置により貯遊技媒体として管理される前に、当該計数結果に対応する遊技媒体が貯遊技媒体として管理された場合に、前記貯遊技媒体を前記会員へ返還する際の遊技媒体としての価値を示す暫定情報を生成する暫定情報生成手段と、
前記暫定情報生成手段により生成された前記暫定情報を表示する表示手段と
を有することを特徴とする遊技用装置。
【発明の詳細な説明】
【技術分野】
【０００１】
本発明は、遊技媒体管理システム及び管理装置及び計数装置に関するものであり、特に、遊技媒体を計数する計数手段を含む遊技用装置、及び、遊技店に登録された会員に付与された会員識別情報に対応付けて当該会員により預けられた遊技媒体を貯遊技媒体として管理すると共に、前記貯遊技媒体を遊技媒体として会員へ返還する際に、前記貯遊技媒体数から所定の手数料分を差引いた遊技媒体を前記会員へ返還する管理装置、及び、遊技用装置と管理装置とを有する遊技媒体管理システムに関するものである。
【背景技術】
【０００２】
従来から、パチンコ店などの遊技店において、顧客が獲得したパチンコ玉やメダル等の遊技媒体を遊技の終了時に景品に交換させるのではなく、遊技店が貯遊技媒体として一時的に遊技客から預かる遊技媒体管理システムに関する技術が知られている（たとえば、特許文献１参照）。
【０００３】
この種の遊技媒体管理システムでは、所定の管理装置が遊技店に登録された遊技客（以下、「会員」という。）に付与された会員識別情報に対応付けて当該会員により預けられた遊技媒体を貯遊技媒体として管理する。
【０００４】
この遊技媒体システムを利用する会員は、獲得した遊技媒体を所定の遊技用装置により計数し、計数された遊技媒体を貯遊技媒体として遊技店に預けるか、若しくは、遊技媒体の計数結果が印刷された紙片等と計数された遊技媒体に相当する景品とを交換するかを選択することができる。
【０００５】
会員が獲得した遊技媒体を貯遊技媒体として遊技店に預けた場合、遊技店側には、遊技媒体と景品とを交換する作業を省略することができると共に、景品の在庫数が減少しないというメリットがある。一方、会員にとっては、次回遊技を行う際に、遊技媒体を借り受けるための現金がなくても貯遊技媒体の返還を受けて遊技を行う（再プレイする）ことができるというメリットがある。
【０００６】
近年、この遊技媒体管理システムでは、前記貯遊技媒体を遊技媒体として会員へ返還する際に、貯遊技媒体数から所定の手数料分を差引いた遊技媒体を会員へ返還するのが一般的となっている。
【０００７】
【特許文献１】特開２００３−２１０８１８号公報
【発明の開示】
【発明が解決しようとする課題】
【０００８】
しかしながら、従来の遊技媒体管理システムでは、会員は遊技媒体を貯遊技媒体として遊技店に預け、管理装置によりその遊技媒体が貯遊技媒体として処理されるまで、その貯遊技媒体が会員へ返還された際の遊技媒体としての価値（たとえば、遊技媒体として再使用可能な遊技媒体数等）を知ることができないため、遊技媒体を貯遊技媒体として預ける行為を敬遠する恐れがあった。
【０００９】
また、貯遊技媒体を再プレイに用いる際に、手数料を徴収されることを遊技客が意識しないで預け入れ、次に再プレイしたときに遊技媒体が減算されることに不審感を感じたり、遊技店とトラブルになる可能性もあった。
【００１０】
そこで、本発明では、遊技媒体を貯遊技媒体として預ける行為が敬遠されることを抑制することができ、遊技客が貯遊技媒体を再プレイに用いた際、遊技媒体数が減算されていることに不審感を感じたり、遊技店とトラブルになることを抑制することができる遊技媒体管理システム、管理装置、及び遊技用装置を提供することを目的とする。
【課題を解決するための手段】
【００１１】
本発明では、遊技台から払出された遊技媒体を計数する計数手段を含む遊技用装置と、遊技店に登録された会員に付与された会員識別情報に対応付けて当該会員により預けられた遊技媒体を貯遊技媒体として管理すると共に、前記貯遊技媒体を遊技媒体として会員へ返還する際に、前記貯遊技媒体数から所定の手数料分を差引いた遊技媒体を前記会員へ返還する管理装置とを有する遊技媒体管理システムであって、前記遊技用装置は、遊技媒体の計数結果を前記管理装置へ送信する計数結果送信手段と、前記計数結果に対応する遊技媒体が前記管理装置により貯遊技媒体として管理される前に、当該計数結果に対応する遊技媒体が貯遊技媒体として管理された場合に、前記貯遊技媒体を前記会員へ返還する際の遊技媒体としての価値を示す暫定情報を前記管理装置から受信する暫定情報受信手段と、前記暫定情報受信手段により受信した前記暫定情報を表示する表示手段とを有し、前記管理装置は、前記計数装置から受信した前記計数結果に基づいて、前記暫定情報を生成する暫定情報生成手段と、前記暫定情報生成手段により生成された前記暫定情報を前記遊技用装置へ送信する暫定情報送信手段とを有する遊技媒体管理システムを提供することとした。
【００１２】
また、本発明では、前記遊技媒体管理システムにおいて、前記遊技用装置は、前記会員識別情報が記憶された会員用記憶媒体を受付ける会員用記憶媒体受付手段を有し、前記計数結果送信手段は、前記計数結果と、前記会員用記憶媒体受付手段により受付中の会員用記憶媒体に記憶されている会員識別情報とを前記管理装置へ送信し、前記暫定情報生成手段は、前記遊技用装置から受信した会員識別情報に対応付けて管理している貯遊技媒体が存在する場合、当該管理している貯遊技媒体数と前記遊技用装置から受信した計数結果とを加算した合計貯遊技媒体を前記会員へ返還する際の遊技媒体としての価値を示す情報を前記暫定情報として生成することを特徴とする。
【００１３】
また、本発明では、遊技台から払出された遊技媒体を計数する計数手段を含む遊技用装置と、遊技店に登録された会員に付与された会員識別情報に対応付けて当該会員により預けられた遊技媒体を貯遊技媒体として管理すると共に、前記貯遊技媒体を遊技媒体として会員へ返還する際に、前記貯遊技媒体数から所定の手数料分を差引いた遊技媒体を前記会員へ返還する管理装置とを有する遊技媒体管理システムであって、前記遊技用装置は、遊技媒体の計数結果に対応する遊技媒体が前記管理装置により貯遊技媒体として管理される前に、当該計数結果に対応する遊技媒体が貯遊技媒体として管理された場合に、前記貯遊技媒体を前記会員へ返還する際の遊技媒体としての価値を示す暫定情報を生成する暫定情報生成手段と、前記暫定情報生成手段により生成された前記暫定情報を表示する表示手段とを有する遊技媒体管理システムを提供することとした。
【００１４】
また、本発明では、前記遊技媒体管理システムにおいて、前記遊技用装置は、前記会員識別情報が記憶された会員用記憶媒体を受付ける会員用記憶媒体受付手段と、前記会員用記憶媒体受付手段により受付中の会員用記憶媒体に記憶されている会員識別情報を前記管理装置へ送信する会員識別情報送信手段と、前記会員識別情報送信手段により送信された会員識別情報に対応付けて管理されている貯遊技媒体が存在する場合に、当該管理されている貯遊技媒体数を前記管理装置から受信する貯遊技媒体数受信手段とを備え、前記暫定情報生成手段は、前記貯遊技媒体数受信手段により貯遊技媒体数が受信された場合に、当該貯遊技媒体数と前記計数結果とを加算した合計貯遊技媒体を前記会員へ返還する際の遊技媒体としての価値を示す情報を前記暫定情報として生成し、前記管理装置は、前記計数装置から受信した会員識別情報に対応付けて管理している貯遊技媒体が存在する場合、当該管理している貯遊技媒体数を前記計数装置へ送信する貯遊技媒体数送信手段を有することを特徴とする。
【００１５】
また、本発明では、前記遊技媒体管理システムにおいて、前記遊技用装置は、前記会員が前記表示手段に表示された前記暫定情報の内容を承認した場合に操作する操作手段を有し、前記管理装置は、前記操作手段が操作された場合に、前記遊技用装置から前記計数結果を受信して、当該計数結果に対応する遊技媒体を前記遊技用装置から受信した会員識別情報に対応付けて貯遊技媒体として管理することを特徴とする。
【００１６】
本発明では、前記遊技媒体管理システムにおいて、前記管理装置は、前記手数料を設定する手数料設定手段を有し、前記表示手段は、前記手数料設定手段により前記手数料が変更された場合に、前記手数料の変更が反映された前記暫定情報の表示を開始することを特徴とする。
【００１７】
また、本発明では、遊技台から払出された遊技媒体を計数する計数手段を含む遊技用装置と通信可能に接続され、遊技店に登録された会員に付与された会員識別情報に対応付けて当該会員により預けられた遊技媒体を貯遊技媒体として管理すると共に、前記貯遊技媒体を遊技媒体として会員へ返還する際に、前記貯遊技媒体数から所定の手数料分を差引いた遊技媒体を前記会員へ返還する管理装置であって、前記遊技用装置から遊技媒体の計数結果を受信する計数結果受信手段と、前記計数結果受信手段により受信した計数結果に対応する遊技媒体を貯遊技媒体として管理する前に、当該計数結果に対応する遊技媒体を貯遊技媒体として管理した場合に、前記貯遊技媒体を前記会員へ返還する際の遊技媒体としての価値を示す暫定情報を生成する暫定情報生成手段と、前記暫定情報生成手段により生成した前記暫定情報を前記遊技用装置へ送信する暫定情報送信手段とを有する管理装置を提供することとした。
【００１８】
また、本発明では、遊技店に登録された会員に付与された会員識別情報に対応付けて当該会員により預けられた遊技媒体を貯遊技媒体として管理すると共に、前記貯遊技媒体を遊技媒体として会員へ返還する際に、前記貯遊技媒体数から所定の手数料分を差引いた遊技媒体を前記会員へ返還する管理装置と通信可能に接続され、遊技台から払出された遊技媒体を計数する計数手段を含む遊技用装置であって、遊技媒体の計数結果に対応する遊技媒体が前記管理装置により貯遊技媒体として管理される前に、当該計数結果に対応する遊技媒体が貯遊技媒体として管理された場合に、前記貯遊技媒体を前記会員へ返還する際の遊技媒体としての価値を示す暫定情報を生成する暫定情報生成手段と、前記暫定情報生成手段により生成された前記暫定情報を表示する表示手段とを有する遊技用装置を提供することとした。
【発明の効果】
【００１９】
本発明によれば、遊技媒体の計数結果に対応する遊技媒体が管理装置により貯遊技媒体として管理される前に、当該計数結果に対応する遊技媒体が貯遊技媒体として管理された場合に、前記貯遊技媒体を前記会員へ返還する際の遊技媒体としての価値を示す暫定情報を表示して会員に確認させることができるので、遊技媒体を貯遊技媒体として預ける行為が敬遠されることを抑制することができる。
【００２０】
また、本発明によれば、貯遊技媒体を再プレイに用いる際に、手数料を徴収されることを遊技客が意識しないで預け入れ、次に再プレイしたときに遊技媒体が減算されることに不審感を感じたり、遊技店とトラブルになる可能性を低減することができる。
【発明を実施するための最良の形態】
【００２１】
以下、本発明に係る遊技媒体管理システム、管理装置、及び遊技用装置の一実施形態について、図面を参照して説明する。本実施形態では、パチンコ店などの遊技店に設置される遊技台の一種である各パチンコ台に併設され、対応するパチンコ台から払出されたパチンコ玉を計数する計数機能を備えた台間装置（本発明における遊技用装置）と、遊技店に登録された会員に付与された会員識別情報に対応付けて当該会員により預けられたパチンコ玉を貯遊技媒体（以下、「貯玉」という。）として管理すると共に、貯玉を会員へ返還する際に、貯玉から所定の手数料分を差引いたパチンコ玉を会員へ返還する管理装置とを有する貯玉管理システムに対して、本発明を適用した場合を例に挙げて説明する。なお、本発明に係る遊技媒体管理システムは、パチンコ玉以外に、所謂パチスロ機で使用されるメダル等、任意の遊技媒体を貯遊技媒体として管理するシステムにも適用することができる。
【００２２】
（第１実施形態）
図１は、第１実施形態に係る貯玉管理システムＳの構成を示す説明図である。図１に示すように、この貯玉管理システムＳは、各パチンコ台１００毎に設けられる台間装置１０と、各台間装置１０と島コントローラ３０を介して接続された管理装置２０とを備えている。
【００２３】
台間装置１０、管理装置２０、島コントローラ３０は、それぞれＬＡＮ（Local  Area  Network）などのネットワーク経由で接続されており、相互に各種情報の送受信が可能となるように構成されている。
【００２４】
なお、島コントローラ３０は、台間装置１０及びパチンコ台１００が設置される遊技島ごとに設けられる中継装置であり、管理装置２０と台間装置１０との間の通信データを中継する。
【００２５】
この貯玉管理システムＳでは、予め遊技店に登録した遊技客（以下、「会員」という。）に対して、各会員を一意に特定するための会員識別情報（以下、「会員ＩＤ」という。）を記憶させた会員用記憶媒体（以下、「会員カード」という。）を付与している。そして、各会員は、自身に付与された会員カードを台間装置１０に設けられているカード受付部１２に挿入して遊技を開始する。
【００２６】
また、本実施形態の台間装置１０では、パチンコ台１００から払出された玉を、下方の受皿に投入すると、シュートを通じて台間装置１０（ＣＲユニット）下部に送り込まれ、計数される。計数値は持玉として所定の記憶部に記憶される。そして、所定の持玉返却操作が行われると、持玉が減算されて、玉がノズルから払出される。
【００２７】
また、この貯玉管理システムＳでは、会員が獲得したパチンコ玉を貯玉として遊技店に預ける（以下、「貯玉する」という。）ことを選択した場合に、貯玉数と貯玉した会員の会員ＩＤとを対応付けて管理する。
【００２８】
そして、この貯玉管理システムＳでは、貯玉を会員へ返還する際に、貯玉４０個のうち１５個を手数料として差引いて返還する。たとえば、会員が貯玉としてパチンコ玉４００個を預けていた場合、その貯玉の返還を受ける際に、手数料分が差引かれた２５０個のパチンコ玉が会員に返還される。すなわち、この貯玉管理システムＳでは、４００個のパチンコ玉を貯玉した場合、その貯玉のパチンコ玉としての価値はパチンコ玉２５０個に相当することとなる。なお、ここでの貯玉４０個に対するパチンコ玉１５個分の手数料は一例である。
【００２９】
また、この貯玉管理システムＳでは、貯玉を会員へ返還する際、貯玉４０個を１度数とし、１度数単位で貯玉の返還を行うようにしている。
【００３０】
台間装置１０は、所定の現金投入口に投入された現金に相当する個数のパチンコ玉を会員等の遊技客に貸し出す玉貸し機能、当該台間装置１０に対応するパチンコ台１００から払出されたパチンコ玉の個数を計数する計数機能、会員の操作に従って計数したパチンコ玉を貯玉する貯玉機能等を備えている。
【００３１】
なお、図１中の符号１２は、会員カードや一般カードを挿入、排出するカード受付部であり、符号１３は、パチンコ玉の計数結果等の各種情報を表示すると共に、表示領域の所定位置に触れることによって、会員カードや一般カードの返却や獲得したパチンコ玉の貯玉等を行うことができるタッチパネル機能を備えた表示操作部である。
【００３２】
また、この台間装置１０は、会員により会員カードを返却する所定の操作が行われた際に、その会員がパチンコ玉を獲得していた場合、そのパチンコ玉を貯玉するか否かを会員に選択させる画面を表示操作部１３に表示させる。
【００３３】
そして、台間装置１０は、会員が獲得したパチンコ玉を貯玉するための操作（以下、「貯玉操作」という。）を行った場合に、管理装置２０へ貯玉要求を送信する。一方、台間装置１０は、会員が獲得したパチンコ玉を別のパチンコ台１００で持玉として使用するための操作（以下、「持玉操作」という。）を行った場合に、管理装置２０へ持玉要求を送信する。
【００３４】
管理装置２０は、各会員の会員ＩＤと貯玉数及び持玉数とを対応付けて記憶して管理する装置である。この管理装置２０は、台間装置１０から貯玉要求を受信した場合に、その貯玉要求に対応する会員ＩＤとパチンコ玉の個数とを対応付けて記憶する。また、この管理装置２０は、台間装置１０から持玉要求を受信した場合に、その持玉要求に対応する会員ＩＤとパチンコ玉の個数とを対応付けて記憶する。なお、この管理装置２０は、台間装置１０から貯玉の返還要求を受けた場合、貯玉数から上記した手数料分を差引いた個数のパチンコ玉を変換する。
【００３５】
特に、この貯玉管理システムＳでは、会員が会員カードの返却操作を行った場合、台間装置１０の表示操作部１３に、パチンコ玉の計数結果に対応するパチンコ玉が管理装置２０により貯玉として管理される前に、当該計数結果に対応するパチンコ玉が仮に貯玉として管理された場合、その貯玉をその会員へ返還する際のパチンコ玉としての価値を示す暫定情報を表示させる。
【００３６】
つまり、この貯玉管理システムＳでは、当該計数結果に対応するパチンコ玉から貯玉が返還される際に発生する所定の手数料を差引いた分のパチンコ玉としての価値を示す暫定情報を表示させる。
【００３７】
ここで、図２及び図３を参照して、台間装置１０の表示操作部１３による暫定情報の表示態様について説明する。図２は、貯玉がない場合の暫定情報の表示態様を示す説明図であり、図３は、既に貯玉がある場合の暫定情報の表示態様を示す説明図である。
【００３８】
図２（ａ）に示すように、貯玉をしていない会員が８００個のパチンコ玉（持玉）を獲得（計数）しているときに、会員カードを台間装置１０から取出すためにカード返却操作を行うと、表示操作部１３には、図２（ｂ）及び図２（ｃ）に示すように、暫定情報が表示される。
【００３９】
ここで表示操作部１３に表示される暫定情報は、持玉である８００個のパチンコ玉を貯玉として遊技店に預ける前に、仮にこの８００個の持玉を貯玉したとすると、その貯玉を次回遊技に使用するために返還してもらう際に、パチンコ玉何個分及び何度数分の価値に相当することになるのかを示す情報である。
【００４０】
ここでは、会員の持玉が８００個であるため、仮にこの持玉８００個を貯玉すると、貯玉数（以下、「暫定貯玉数」という。）が８００個となる。また、この貯玉管理システムＳでは、貯玉４０個が１度数として取り扱われるため、貯玉の返還を受ける際に使用可能な度数（以下、「暫定再プレイ可能度数」という。）は、８００／４０＝２０（度数）となる。
【００４１】
そして、この貯玉管理システムＳでは、貯玉の返還を受ける際、貯玉４０個につき１５個の手数料が発生するため、８００個の貯玉を持玉として再使用する場合、１５×２０＝３００（個）が手数料として差引かれ、貯玉の返還を受ける際に使用可能な持玉となるパチンコ玉の個数（以下、「暫定再プレイ可能玉数」という。）は、８００−３００＝５００（個）となる。
【００４２】
そのため、ここでは表示操作部１３に、暫定情報として、暫定貯玉数：８００、暫定再プレイ可能度数：２０、暫定再プレイ可能玉数：５００という情報が表示される。
【００４３】
このように、本実施形態の貯玉管理システムＳでは、会員が会員カードの返却操作を行った場合、そのとき会員が獲得していた持玉を実際に貯玉する前に、台間装置１０の表示操作部１３に暫定情報を表示させるため、会員は、その持玉を仮に貯玉すると該貯玉を再使用するときにパチンコ玉として、一体どれくらいの遊技価値になるかを事前に知ることができる。
【００４４】
そのため、この貯玉管理システムＳによれば、会員は、持玉を貯玉した場合のメリットやリスクを納得した上で、そのとき獲得している持玉を貯玉することができるので、貯玉行為を敬遠し難くなる。
【００４５】
また、この貯玉管理システムＳによれば、貯遊技媒体を再プレイに用いる際に、手数料を徴収されることを遊技客が意識しないで預け入れ、次に再プレイしたときに遊技媒体が減算されることに不審感を感じたり、遊技店とトラブルになる可能性を低減することができる。
【００４６】
その後、図２（ｂ）に示すように、会員が暫定情報の表示中に貯玉を選択する操作を行うと、台間装置１０から管理装置２０へ貯玉要求が送信される。管理装置２０は、貯玉要求を受信すると、その会員の持玉を貯玉として会員ＩＤと対応付けて記憶して管理する。その後、台間装置１０の表示操作部１３には、図２（ｄ）に示すように、持玉が貯玉されたことを示す情報が表示された後、台間装置１０から会員へ会員カードが返却される。
【００４７】
一方、図２（ｃ）に示すように、会員が暫定情報の表示中に持玉を選択する操作を行うと、台間装置１０から管理装置２０へ持玉要求が送信される。管理装置２０では、持玉要求を受信すると、その会員の持玉を持玉として会員ＩＤと対応付けて記憶して管理する。その後、台間装置１０の表示操作部１３には、図２（ｅ）に示すように、管理装置２０によって持玉として管理されたことを示す情報が表示された後、台間装置１０から会員へ会員カードが返却される。
【００４８】
次に、貯玉がある場合における暫定情報の表示態様について説明する。図３（ａ）に示すように、３８０個のパチンコ玉を貯玉として預けている会員の持玉が２０個となっているときに、その会員が会員カードの返却操作を行うと、台間装置１０の表示操作部１３には、図３（ｂ）に示すような暫定情報が表示される。
【００４９】
ここでは、会員が３８０個の貯玉を持っているため、現在の貯玉総数：３８０、現在の再プレイ可能度数：９、現在の再プレイ可能玉数：２２５という貯玉として管理されている遊技価値に関する情報と、現在獲得している持玉を仮に貯玉した場合、現在の持玉と現在の貯玉とを合計したパチンコ玉の返還時における遊技価値として、暫定貯玉総数：４００、暫定再プレイ可能度数：１０、暫定再プレイ可能玉数：２５０という暫定情報が表示される。
【００５０】
前述のように、本実施形態の貯玉管理システムＳでは、１度数単位でしか貯玉を持玉として返還できないため、現時点では、３８０個を貯玉しているにも関わらず、２２５個しかパチンコ玉の返還を受けることができない。
【００５１】
すなわち、この貯玉管理システムＳにおいて、会員は、貯玉が３６０個の場合、再プレイ可能度数が９であるため２２５個のパチンコ玉の返還を受けることができるが、貯玉が３８０個の場合であっても度数９であるため２２５個のパチンコ玉しか返還をうけることができない。
【００５２】
ここで、会員は、持玉が２０個しかないが、図３（ｂ）に示す暫定情報を参照することによって、この２０個の持玉を貯玉すれば、後に貯玉を再使用する際に、再プレイ可能度数が１０となり、再プレイ可能玉数が２５０になることを確認することができる。すなわち、会員は、２０個のパチンコ玉を貯玉することによって、次回２５０個のパチンコ玉の返還を受けることができることを知ることができる。
【００５３】
このように、本実施形態の貯玉管理システムＳでは、会員が既に貯玉をしていた場合、
その会員の持玉と現時点で貯玉されているパチンコ玉の個数とを合計したパチンコ玉の個数を貯玉総数として仮定し、該仮定した貯玉を返還した場合の遊技価値を暫定情報として表示操作部１３に表示させるため、会員は、持玉を貯玉した場合のメリットを実際に貯玉する前に確認することができ、この暫定情報を貯玉するか否かの判断材料として用いることができる。そのため、この貯玉管理システムＳによれば、会員に対して貯玉行為を促すことができる。
【００５４】
その後、図３（ｂ）に示すように、会員が暫定情報の表示中に貯玉を選択する操作を行うと、台間装置１０から管理装置２０へ貯玉要求が送信され、管理装置２０によって会員の持玉が貯玉数に加算されて貯玉として管理された後、会員カードが返却される。なお、会員が持玉を選択する操作を行った場合には、管理装置２０によって持玉がそのまま持玉として管理される。
【００５５】
次に、上記のように暫定情報を表示可能とする貯玉管理システムＳを構成する台間装置１０及び管理装置２０の具体的な構成について図４を参照して説明する。図４は、第１実施形態に係る台間装置１０及び管理装置２０の構成を示す機能ブロック図である。なお、図４では、貯玉管理及び暫定情報の表示に関する構成要素のみを選択的に示しており、他の構成については図示を省略している。
【００５６】
図４に示すように、台間装置１０は、計数部１１、カード受付部１２、表示操作部１３、計数結果送信部１４、暫定情報受信部１５を備えている。
【００５７】
計数部１１は、併設されている各パチンコ台１００に接続され、そのパチンコ台１００から払い出され会員が獲得したパチンコ玉数、具体的には、パチンコ台１００から払い出されたパチンコ玉の個数から、そのパチンコ台１００で使用されたパチンコ玉の個数を減算した個数を計数し、その計数結果を計数結果送信部１４へ出力する処理部である。
【００５８】
カード受付部１２は、会員により挿入された会員カードから、その会員カードに記憶されている会員ＩＤを読取るカードリーダ装置により構成している。このカード受付部１２は、会員カードから会員ＩＤを読み取って計数結果送信部１４へ出力する。
【００５９】
表示操作部１３は、タッチパネル機能を備えた液晶表示装置により構成している。この表示操作部１３は、会員がカード返却操作や再プレイ操作等を行う際に操作する各種操作ボタン画像を表示することによって、操作手段として機能すると共に、前述の暫定情報や現在の持玉数等といった貯玉管理に関する各種画像を表示する表示手段として機能する。また、この表示操作部１３は、会員による操作に応じた各種操作信号を管理装置２０が備える後述の貯玉管理部２２に送信する。
【００６０】
計数結果送信部１４は、会員が表示操作部１３を操作して会員カードの返却操作を行った場合に、計数部１１による計数結果とカード受付部１２により読取られた会員ＩＤとを管理装置２０へ向けて送信する処理部である。このとき送信される計数結果及び会員ＩＤは、島コントローラ３０に中継されて管理装置２０の計数結果受信部２５に受信される。暫定情報受信部１５は、管理装置２０から送信された暫定情報を受信して、表示操作部１３へ出力する処理部である。
【００６１】
なお、図４には、台間装置１０の機能的な構成を示したが、この台間装置１０は、物理的にはＣＰＵ（Central Processing Unit）とＲＯＭ（Read Only Memory）とＲＡＭ（Random Access Memory）とを有する情報処理装置を備えており、ＣＰＵがＲＯＭから各種プログラムを読出し、ＲＡＭを作業領域として使用して実行することにより、上記計数部１１、カード受付部１２、表示操作部１３、計数結果送信部１４、暫定情報受信部１５等の動作を統括制御する。このＣＰＵが実行する処理については後に詳述する。
【００６２】
次に、管理装置２０の構成について説明する。図４に示すように、管理装置２０は、記憶部２１、貯玉管理部２２、暫定情報生成部２３、暫定情報送信部２４、計数結果受信部２５を備えている。
【００６３】
記憶部２１は、ハードディスクドライブ等の大容量の不揮発性記憶装置により構成しており、各会員の持玉数をその会員の会員ＩＤと対応付けて記憶した持玉データベース（以下、「持玉ＤＢ２１ａ」という。）と、各会員の貯玉数をその会員の会員ＩＤと対応付けて記憶した貯玉ＤＢ（以下、「貯玉ＤＢ２１ｂ」という。）とを記憶している。
【００６４】
貯玉管理部２２は、台間装置１０の表示操作部１３から入力される各種操作信号に基づいて、持玉ＤＢ２１ａ及び貯玉ＤＢ２１ｂ内の情報を書き換えることにより、各会員の貯玉数及び持玉数を管理する処理部である。
【００６５】
また、この貯玉管理部２２は、暫定情報生成部２３から会員ＩＤが入力された場合に、記憶部２１を参照して、その会員ＩＤと対応付けて記憶されている貯玉数に関する情報を暫定情報生成部２３へ通知する。
【００６６】
計数結果受信部２５は、台間装置１０から計数結果及び会員ＩＤを受信して暫定情報生成部２３に出力する処理部である。
【００６７】
暫定情報生成部２３は、台間装置１０から受信した会員ＩＤに対応付けて記憶している貯玉が存在していない場合、台間装置１０から受信した計数結果に対応する持玉が貯玉管理部２２により貯玉として管理される前に、当該計数結果に対応する持玉が貯玉として管理されたと仮定し、その貯玉から返還時の手数料を差し引いた場合の遊技価値を示す暫定情報を生成する処理部である。
【００６８】
また、この暫定情報生成部２３は、台間装置１０から受信した会員ＩＤに対応付けて記憶している貯玉が存在していた場合、その貯玉数と台間装置１０から受信した計数結果とを加算した個数を総貯玉数と仮定し、その貯玉が貯玉管理部２２により貯玉として管理される前に、当該総貯玉数に対応するパチンコ玉が貯玉として管理された場合に、その貯玉から返還時の手数料を差し引いた場合の遊技価値を示す暫定情報を生成する。そして、この暫定情報生成部２３は、生成した暫定情報を暫定情報送信部２４へ出力する。
【００６９】
暫定情報送信部２４は、暫定情報生成部２３から入力された暫定情報を計数結果及び会員ＩＤの送信元の台間装置１０へ向けて送信する。この暫定情報は、島コントローラ３０に中継されて台間装置１０の暫定情報受信部１５に受信される。
【００７０】
なお、図４には、管理装置２０の機能的な構成を示したが、この管理装置２０は、物理的にはＣＰＵとＲＯＭとＲＡＭとを有する情報処理装置を備えており、ＣＰＵがＲＯＭから各種プログラムを読出し、ＲＡＭを作業領域として使用して実行することにより、上記貯玉管理部２２、暫定情報生成部２３、暫定情報送信部２４、計数結果受信部２５等の動作を統括制御する。
【００７１】
次に、台間装置１０が備えるＣＰＵが実行する処理について、図５を参照して説明する。図５は、第１実施形態に係る台間装置１０が備えるＣＰＵが実行する処理を示すフローチャートである。なお、ここでは、貯玉の管理に関する処理部分のみを説明することとし、遊技客への玉貸し処理等といった他の処理については、その説明を省略する。
【００７２】
台間装置１０のＣＰＵ（以下、単に「ＣＰＵ」という。）は、電源が投入されている間、図５のフローチャートに示す処理を繰り返し実行する。図５に示すように、ＣＰＵは、まず、会員による会員カードの返却操作があったか否かの判定を行い（ステップＳ１０１）、会員カード返却操作があったと判定した場合（ステップＳ１０１：Ｙｅｓ）、処理をステップＳ１０２へ移す。一方、ＣＰＵは、会員カード返却操作がなかったと判定した場合（ステップＳ１０１：Ｎｏ）、処理を終了する。
【００７３】
ステップＳ１０２において、ＣＰＵは、パチンコ玉の計数結果と会員ＩＤとを管理装置２０へ送信し、その後、管理装置２０から暫定情報を受信したか否かの判定を行う（ステップＳ１０３）。そして、ＣＰＵは、暫定情報を受信したと判定した場合（ステップＳ１０３：Ｙｅｓ）、処理をステップＳ１０４へ移す。一方、ＣＰＵは、暫定情報を受信していないと判定した場合（ステップＳ１０３：Ｎｏ）、暫定情報を受信するまでステップＳ１０３の処理を繰り返す。
【００７４】
ステップＳ１０４において、ＣＰＵは、管理装置２０から受信した暫定情報を表示操作部１３に表示（たとえば、図２（ｂ）、（ｃ）、図３（ｂ）参照）させ、その後、会員により暫定情報に対する貯玉承認操作があったか否かの判定を行う（ステップＳ１０５）。
【００７５】
このステップＳ１０５において、ＣＰＵは、会員が表示操作部１３で貯玉操作を行った場合に貯玉承認操作があったと判定し（ステップＳ１０５：Ｙｅｓ）、管理装置２０へ向けて貯玉要求を送信させ（ステップＳ１０６）、その後、処理をステップＳ１０８へ移す。
【００７６】
一方、ＣＰＵは、会員が表示操作部１３で持玉操作を行った場合に貯玉承認操作がなかったと判定して（ステップＳ１０５：Ｎｏ）、管理装置２０へ向けて持玉要求を送信させ（ステップＳ１０７）、その後、処理をステップＳ１０８へ移す。
【００７７】
そして、ＣＰＵは、これらステップＳ１０６又はステップＳ１０７の処理が終了すると、会員カードを返却して（ステップＳ１０８）、処理を終了する。
【００７８】
次に、管理装置２０のＣＰＵが実行する処理について説明する。図６は、第１実施形態に係る管理装置２０が備えるＣＰＵが実行する処理を示すフローチャートである。管理装置２０のＣＰＵ（以下、単に「ＣＰＵ」という。）は、電源が投入されている間、図６のフローチャートに示す処理を繰り返し実行する。図６に示すように、ＣＰＵは、まず、台間装置１０から計数結果と会員ＩＤとを受信したか否かの判定を行う（ステップＳ２０１）。
【００７９】
そして、ＣＰＵは、計数結果及び会員ＩＤを受信したと判定した場合（ステップＳ２０１：Ｙｅｓ）、処理をステップＳ２０２へ移す。一方、ＣＰＵは、計数結果及び会員ＩＤを受信していないと判定した場合（ステップＳ２０１：Ｎｏ）、処理を終了する。
【００８０】
ステップＳ２０２において、ＣＰＵは、ステップＳ２０１で受信した会員ＩＤに対応付けて貯玉ＤＢ２１ｂに記憶されている貯玉があるか否かの判定を行い、貯玉があると判定した場合（ステップＳ２０２：Ｙｅｓ）、処理をステップＳ２０３へ移す。一方、ＣＰＵは貯玉がないと判定した場合（ステップＳ２０２：Ｎｏ）、処理をステップＳ２０４へ移す。
【００８１】
ステップＳ２０３において、ＣＰＵは、暫定情報を生成する。このとき、ＣＰＵは、台間装置１０から受信した会員ＩＤに対応付けて貯玉ＤＢ２１ｂに記憶されている貯玉（個数）と、台間装置１０から受信した計数結果（個数）とを加算した個数を貯玉数と仮定し、その貯玉が会員に返却される際の遊技価値を演算して暫定情報を生成し、その後、処理をステップＳ２０５へ移す。
【００８２】
また、ステップＳ２０４において、ＣＰＵは、暫定情報を生成する。このとき、ＣＰＵは、台間装置１０から受信した計数結果（個数）を貯玉数と仮定し、その貯玉が会員に返却される際の遊技価値を演算して暫定情報を生成し、その後、処理をステップＳ２０５へ移す。
【００８３】
ステップＳ２０５において、ＣＰＵは、ステップＳ２０３又はステップＳ２０４の処理で生成した暫定情報を台間装置１０へ向けて送信させ、その後、会員により暫定情報に対する貯玉承認操作があったか否かの判定を行う（ステップＳ２０６）。
【００８４】
このとき、ＣＰＵは、台間装置１０から貯玉要求を受信した場合に貯玉承認操作があったと判定して（ステップＳ２０６：Ｙｅｓ）、計数結果に対応するパチンコ玉の個数を貯玉ＤＢ２１ｂに記憶させる貯玉処理を行い（ステップＳ２０７）、その後、処理を終了する。
【００８５】
一方、ＣＰＵは、台間装置１０から持玉要求を受信した場合に貯玉承認操作がなかったと判定して（ステップＳ２０６：Ｎｏ）、計数結果に対応するパチンコ玉の個数を持玉ＤＢ２１ａに記憶させる持玉処理を行い（ステップＳ２０８）、その後、処理を終了する。
【００８６】
（第２実施形態）
次に、本発明の第２実施形態について説明する。前述の第１実施形態に係る貯玉管理システムＳでは、管理装置２０側で暫定情報を生成して、その暫定情報を台間装置１０の表示操作部１３に表示させる場合を例に挙げて説明したが、本第２実施形態では、台間装置側で暫定情報を生成して表示操作部に表示させる。
【００８７】
図７は、第２実施形態に係る台間装置及び管理装置の構成を示す機能ブロック図である。図７に示すように、台間装置５０は、計数部５１、カード受付部５２、表示操作部５３、暫定情報生成部５４、会員識別情報送信部５５、貯遊技媒体数受信部５６を備えている。
【００８８】
計数部５１は、併設されている各パチンコ台１００に接続され、そのパチンコ台１００から払い出され会員が獲得したパチンコ玉数、具体的には、パチンコ台１００から払い出されたパチンコ玉の個数から、そのパチンコ台１００で使用されたパチンコ玉の個数を減算した個数を計数し、その計数結果を暫定情報生成部５４へ出力する処理部である。
【００８９】
カード受付部５２は、会員により挿入された会員カードから、その会員カードに記憶されている会員ＩＤを読取るカードリーダ装置により構成している。このカード受付部５２は、会員カードから会員ＩＤを読み取って会員識別情報送信部５５へ出力する。
【００９０】
表示操作部５３は、タッチパネル機能を備えた液晶表示装置により構成している。この表示操作部５３は、会員がカード返却操作や再プレイ操作等を行う際に操作する各種操作ボタン画像を表示することによって、操作手段として機能すると共に、前述の暫定情報や現在の持玉数等といった貯玉管理に関する各種画像を表示する表示手段として機能する。また、この表示操作部５３は、会員による操作に応じた各種操作信号を暫定情報生成部５４を介して管理装置４０が備える後述の貯玉管理部４２に送信する。
【００９１】
会員識別情報送信部５５は、カード受付部５２から入力された会員ＩＤを管理装置４０へ向けて送信する。この会員ＩＤは、島コントローラ３０に中継されて、管理装置４０が備える後述の貯玉管理部４２に受信される。
【００９２】
暫定情報生成部５４は、会員が表示操作部５３を操作して会員カードの返却操作を行った場合に、計数部５１による計数結果に基づいて、暫定情報を生成して表示操作部５３へ出力する処理部である。
【００９３】
この暫定情報生成部５４は、カード受付部５２により読取られた会員ＩＤに対応付けられている貯玉が管理装置４０に記憶されていなかった場合に、計数部５１から入力された計数結果に対応する持玉が貯玉管理部４２により貯玉として管理される前に、当該計数結果に対応する持玉が貯玉として管理されたと仮定して、その貯玉から返還時の手数料を差し引いた場合の遊技価値を示す暫定情報を生成する処理部である。
【００９４】
また、この暫定情報生成部５４は、カード受付部５２により読取られた会員ＩＤに対応付けられている貯玉が管理装置４０に記憶されていた場合には、管理装置４０からその貯玉数を取得し、取得した貯玉数と計数部５１から入力される計数結果とを加算した個数を総貯玉数と仮定し、その貯玉が貯玉管理部４２により貯玉として管理される前に、当該総貯玉数に対応するパチンコ玉が仮に貯玉として管理された場合に、その貯玉から返還時の手数料を差し引いて会員へ返還する際のパチンコ玉としての遊技価値を示す暫定情報を生成する。
【００９５】
貯遊技媒体数受信部５６は、カード受付部５２により読取られた会員ＩＤに対応付けられている貯玉が管理装置４０に記憶されていた場合に管理装置４０から送信される貯玉数を受信し、その貯玉数を暫定情報生成部５４へ出力する処理部である。
【００９６】
なお、図７には、台間装置５０の機能的な構成を示したが、この台間装置５０は、物理的にはＣＰＵとＲＯＭとＲＡＭとを有する情報処理装置を備えており、ＣＰＵがＲＯＭから各種プログラムを読出し、ＲＡＭを作業領域として使用して実行することにより、上記計数部５１、カード受付部５２、表示操作部５３、暫定情報生成部５４、会員識別情報送信部５５、貯遊技媒体数受信部５６等の動作を統括制御する。このＣＰＵが実行する処理については後に詳述する。
【００９７】
次に、管理装置４０の構成について説明する。図７に示すように、管理装置４０は、記憶部４１、貯玉管理部４２、貯遊技媒体数送信部４３を備えている。
【００９８】
記憶部４１は、ハードディスクドライブ等の大容量の不揮発性記憶装置により構成しており、各会員の持玉数をその会員の会員ＩＤと対応付けて記憶した持玉データベース（以下、「持玉ＤＢ４１ａ」という。）と、各会員の貯玉数をその会員の会員ＩＤと対応付けて記憶した貯玉ＤＢ（以下、「貯玉ＤＢ４１ｂ」という。）とを記憶している。
【００９９】
貯玉管理部４２は、会員による表示操作部５３の操作に応じて台間装置５０から入力される各種操作信号に基づいて、持玉ＤＢ４１ａ及び貯玉ＤＢ４１ｂ内の情報を書き換えることにより、各会員の貯玉数及び持玉数を管理する処理部である。
【０１００】
また、この貯玉管理部４２は、台間装置５０の会員識別情報送信部５５から会員ＩＤが入力された場合に、記憶部４１を参照して、その会員ＩＤと対応付けて記憶されている貯玉数に関する情報（貯玉数）を貯遊技媒体数送信部４３へ通知する。
【０１０１】
貯遊技媒体数送信部４３は、貯玉管理部４２から通知された貯玉数を台間装置５０へ向けて送信する処理部である。この貯玉数は、島コントローラ３０に中継されて台間装置５０の貯遊技媒体数受信部５６に受信される。
【０１０２】
なお、図７には、管理装置４０の機能的な構成を示したが、この管理装置４０は、物理的にはＣＰＵとＲＯＭとＲＡＭとを有する情報処理装置を備えており、ＣＰＵがＲＯＭから各種プログラムを読出し、ＲＡＭを作業領域として使用して実行することにより、上記貯玉管理部４２、貯遊技媒体数送信部４３等の動作を統括制御する。
【０１０３】
次に、台間装置５０が備えるＣＰＵが実行する処理について、図８を参照して説明する。図８は、第２実施形態に係る台間装置５０が備えるＣＰＵが実行する処理を示すフローチャートである。なお、ここでは、貯玉の管理に関する処理部分のみを説明することとし、遊技客への玉貸し処理等といった他の処理については、その説明を省略する。
【０１０４】
台間装置５０のＣＰＵ（以下、単に「ＣＰＵ」という。）は、電源が投入されている間、図８のフローチャートに示す処理を繰り返し実行する。図８に示すように、ＣＰＵは、まず、会員による会員カードの返却操作があったか否かの判定を行い（ステップＳ３０１）、会員カード返却操作があったと判定した場合（ステップＳ３０１：Ｙｅｓ）、処理をステップＳ３０２へ移す。一方、ＣＰＵは、会員カード返却操作がなかったと判定した場合（ステップＳ３０１：Ｎｏ）、処理を終了する。
【０１０５】
ステップＳ３０２において、ＣＰＵは、カード受付部５２により読取られた会員ＩＤを管理装置４０へ送信させ、その後、ステップＳ３０２で受信した会員ＩＤに対応付けて貯玉ＤＢ４１ｂに記憶されている貯玉があるか否かの判定を行う（ステップＳ３０３）。
【０１０６】
ここで、ＣＰＵは、貯遊技媒体数受信部５６により受信した貯玉数に基づいて貯玉があるか否かの判定を行い、貯玉があると判定した場合（ステップＳ３０３：Ｙｅｓ）、処理をステップＳ３０４へ移す。一方、ＣＰＵは貯玉がないと判定した場合（ステップＳ３０３：Ｎｏ）、処理をステップＳ３０５へ移す。
【０１０７】
ステップＳ３０４において、ＣＰＵは、暫定情報を生成する。このとき、ＣＰＵは、貯遊技媒体数受信部５６により受信した貯玉数（個数）と、計数部５１により計数された計数結果（個数）とを加算した個数を貯玉数と仮定し、その貯玉が会員に返却される際の遊技価値を演算して暫定情報を生成し、その後、処理をステップＳ３０６へ移す。
【０１０８】
また、ステップＳ３０５において、ＣＰＵは、暫定情報を生成する。このとき、ＣＰＵは、計数部５１により計数された計数結果（個数）を貯玉数と仮定し、その貯玉が会員に返却される際の遊技価値を演算して暫定情報を生成し、その後、処理をステップＳ３０６へ移す。
【０１０９】
ステップＳ３０６において、ＣＰＵは、ステップＳ３０４又はステップＳ３０５で生成した暫定情報を表示操作部５３に表示（たとえば、図２（ｂ）、（ｃ）、図３（ｂ）参照）させ、その後、会員により暫定情報に対する貯玉承認操作があったか否かの判定を行う（ステップＳ３０７）。
【０１１０】
このステップＳ３０７において、ＣＰＵは、会員が表示操作部５３で貯玉操作を行った場合に貯玉承認操作があったと判定し（ステップＳ３０７：Ｙｅｓ）、管理装置４０へ向けて貯玉要求を送信させ（ステップＳ３０８）、その後、処理をステップＳ３１０へ移す。
【０１１１】
一方、ＣＰＵは、会員が表示操作部５３で持玉操作を行った場合に貯玉承認操作がなかったと判定して（ステップＳ３０７：Ｎｏ）、管理装置４０へ向けて持玉要求を送信させ（ステップＳ３０９）、その後、処理をステップＳ３１０へ移す。
【０１１２】
そして、ＣＰＵは、これらステップＳ３０８又はステップＳ３０９の処理が終了すると、会員カードを返却して（ステップＳ３１０）、処理を終了する。
【０１１３】
次に、管理装置４０のＣＰＵが実行する処理について説明する。図９は、第２実施形態に係る管理装置４０が備えるＣＰＵが実行する処理を示すフローチャートである。管理装置４０のＣＰＵ（以下、単に「ＣＰＵ」という。）は、電源が投入されている間、図９のフローチャートに示す処理を繰り返し実行する。図９に示すように、ＣＰＵは、まず、台間装置５１から会員ＩＤを受信したか否かの判定を行う（ステップＳ４０１）。
【０１１４】
そして、ＣＰＵは、会員ＩＤを受信したと判定した場合（ステップＳ４０１：Ｙｅｓ）、処理をステップＳ４０２へ移す。一方、ＣＰＵは、会員ＩＤを受信していないと判定した場合（ステップＳ４０１：Ｎｏ）、処理を終了する。
【０１１５】
ステップＳ４０２において、ＣＰＵは、貯玉ＤＢ４１ｂを参照し、ステップＳ４０１で受信した会員ＩＤに対応付けて貯玉ＤＢ４１ｂに記憶されている貯玉数を示す貯玉情報を台間装置５０へ向けて送信させ、その後、処理をステップＳ４０３へ移す。なお、ステップＳ４０１で受信した会員ＩＤに対応付けて貯玉ＤＢ４１ｂに記憶されている貯玉が存在しなかった場合、ＣＰＵは、貯玉情報として０個を台間装置１５へ向けて送信させる。
【０１１６】
ステップＳ４０３において、ＣＰＵは、会員により暫定情報に対する貯玉承認操作があったか否かの判定を行う。このとき、ＣＰＵは、台間装置５０から貯玉要求を受信した場合に貯玉承認操作があったと判定して（ステップＳ４０３：Ｙｅｓ）、台間装置５０から計数部５１により計数された計数結果を取得し、その計数結果に対応するパチンコ玉の個数を貯玉ＤＢ４１ｂに記憶させる貯玉処理を行い（ステップＳ４０４）、その後、処理を終了する。
【０１１７】
一方、ＣＰＵは、台間装置５０から持玉要求を受信した場合に貯玉承認操作がなかったと判定して（ステップＳ４０３：Ｎｏ）、台間装置５０から計数部５１により計数された計数結果を取得し、その計数結果に対応するパチンコ玉の個数を持玉ＤＢ４１ａに記憶させる持玉処理を行い（ステップＳ４０５）、その後、処理を終了する。
【０１１８】
（第３実施形態）
次に、本発明の第３実施形態について説明する。図１０は、第３実施形態に係る台間装置及び管理装置の構成を示す機能ブロック図である。なお、ここでは、図１０において、図４に示した台間装置１０及び管理装置２０と同様の構成要素に対して同一の符号を付することにより、その詳細な説明は省略する。
【０１１９】
図１０に示すように、第３実施形態に係る台間装置１０は、第１実施形態の台間装置１０と同様の構成をしている。また、第３実施形態に係る管理装置２０は、第１実施形態の管理装置２０と略同様の構成をしているが、第１実施形態の管理装置２０が備える構成要素に加え、手数料設定部２６を備えている点と、記憶部２１に手数料テーブル２１ｃが記憶されている点が第１実施形態の管理装置２０とは異なる。
【０１２０】
この手数料設定部２６は、遊技店の責任者等の所定のオペレータの操作に基づき、貯玉を会員へ返還する際に発生する手数料を任意に変更して設定する処理部である。そして、この手数料設定部２６は、記憶部２１に記憶されている手数料テーブル２１ｃ内の情報を書き換えることにより、手数料の変更を行う。
【０１２１】
また、この管理装置２０では、暫定情報生成部２３が定期的に手数料テーブル２１Ｃを参照して、手数料が変更されていた場合、各台間装置１０から会員ＩＤとその時点での計数結果とを取得して暫定情報を生成し、その暫定情報を台間装置１０へ送信することにより、台間装置１０の表示操作部１３に暫定情報を表示させる。
【０１２２】
すなわち、前述の第１及び第２実施形態では、会員が会員カードの返却操作を行った場合に、台間装置１０の表示操作部１３に暫定情報を表示させていたが、第３実施形態では、暫定情報生成部２３が手数料の変更を検知した時点で、その時設定されている手数料を反映した暫定情報を生成して、台間装置１０へ送信する。
【０１２３】
これにより、第３実施形態の貯玉管理システムでは、たとえば、手数料が通常の手数料よりも低く設定変更された場合、その手数料が反映された暫定情報を会員へ通知することによって、会員に対して貯玉行為を促すことができる。
【０１２４】
また、記憶部２１へ手数料の変更内容と変更タイミングを規定した手数料変更タイムテーブルを記憶させておき、手数料設定部２６が定期的に手数料変更タイムテーブルを参照して、規定されているタイミングで手数料を変更するように管理装置２０を構成してもよい。かかる構成とすれば、オペレータによる手数料設定部２６の操作回数を低減することができる。
【０１２５】
上記した実施形態では、各パチンコ台１００に併設され、対応するパチンコ台１００から払出されたパチンコ玉を計数する計数機能を備えた台間装置１０（本発明における遊技用装置）と、各会員の貯玉を管理する管理装置２０とを有する貯玉管理システムＳに対して、本発明を適用した場合を例に挙げて説明したが、本発明を適用可能な貯玉管理システムは、上記したシステムに限定されるものではない。
【０１２６】
例えば、本発明は、パチンコ玉を計数する計数部を備えていない台間装置と、パチンコ台１００の下皿下方にある膳板上に設置され、台間装置と通信可能に接続された計数装置と、貯玉を管理する管理装置とを有する貯玉管理システムに対しても適用することができる。
【０１２７】
かかる貯玉管理システムに本発明を適用した場合、膳板上に設置された計数装置と台間装置とが協働して本発明における遊技用装置として機能することとなる。
【０１２８】
また、本発明は、各パチンコ台１００に対応して設けられ、玉貸機能を有する第１の台間装置（ＣＲユニット）と、対応するパチンコ台１００から払出されたパチンコ玉を計数する各台計数機能を備えた第２の台間装置（計数ユニット）とが併設されたダブルサンド方式の各台計数システムと、貯玉を管理する管理装置とを有する貯玉管理システムに対しても適用することができる。
【０１２９】
図１１は、ダブルサンド方式の各台計数システムを備えた貯玉管理システムの構成を示す説明図である。図１１に示すように、この貯玉管理システムは、ＣＲユニット８０と、計数ユニット７０と、これらＣＲユニット８０及び計数ユニット７０と島コントローラ３０を介して接続された管理装置２０とを備えている。
【０１３０】
管理装置２０は、上記した実施形態で説明した管理装置２０と同様に、遊技店に登録された会員に付与された会員識別情報に対応付けて当該会員により預けられた貯玉として管理する装置である。
【０１３１】
ＣＲユニット８０は、遊技客から紙幣を受付ける紙幣受付部８１と、遊技客から会員カード又は一般カード（プリペイドカード）を受付けるカード受付部８２と、表示部８３と、操作部８４と、ＣＲ状態表示ランプ８５とを備えている。
【０１３２】
このＣＲユニット８０は、パチンコ台１００と通信可能に接続されている。そして、このＣＲユニット８０は、会員から会員カードを受付けて、会員により操作部８４内の再プレイボタン８４ａが操作されると、貯玉又は持玉を遊技客へ払出す。また、ＣＲユニット８０は、遊技客から現金又はプリペイドカードを受付けて、遊技客により操作部８４の玉貸しボタンが操作されると、パチンコ玉を遊技客へ払出す。
【０１３３】
このとき、ＣＲユニット８０は、再プレイボタン８４ａが操作されたこと、又は玉貸しボタンが操作されたことを示す信号をパチンコ台１００へ出力する。この信号が入力されると、パチンコ台１００は、遊技者に対してボタン操作に応じた個数のパチンコ玉を払出す。なお、プリペイド残高がある状態で遊技を終了する際には、カード受付部８２からカードが返却される。
【０１３４】
計数ユニット７０は、遊技客から一般カード（持玉）を受付けたり、予め内部に収納しておいた一般カードを排出するカード受付部７１と、計数状態表示ランプ７２と、カード返却ボタン７３と、計数したパチンコ玉数を表示する計数玉表示部７４と、遊技客が計数ユニット７０で計数したパチンコ玉の返却を行う際に操作する玉返却ボタン７５と、パチンコ玉が投出されるノズル７６を備えた玉払出部とを備えている。
【０１３５】
この計数ユニット７０は、遊技客がパチンコ台１００で獲得したパチンコ玉をパチンコ台１００の下皿から受付けて計数し、その計数値を内部のメモリに記憶する。そして、計数ユニット７０は、遊技客により玉返却ボタン７５が押下されると、パチンコ玉をノズル７６からパチンコ台１００の上皿へ投出する。このとき、投出されたパチンコ玉の個数がメモリ内の計数値から減算される。
【０１３６】
また、計数ユニット７０は、ＣＲユニット８０のカード受付部８２に会員カードが挿入されていない状態で、カード返却ボタン７３が押下されると、持玉数が、カード受付部７１内部の一般カードに関連付けられて返却される。
【０１３７】
また、ＣＲユニット８０のカード受付部８２に会員カードが挿入された状態、且つ、計数値がメモリに記憶された状態で、カード返却操作が行われると、計数値と（当該会員カードの）貯玉に基づいて暫定情報が生成・表示され、遊技客による貯玉承認可否を待つ。貯玉承認操作が行われれば、計数値分を貯玉して会員カードが返却される。貯玉承認操作が行われなければ、計数値は持玉として会員カードに紐付けられた後、会員カードが返却される。
【０１３８】
かかるダブルサンド方式の各台計数システムを備えた貯玉管理システムに本発明を適用した場合には、計数ユニット７０とＣＲユニット８０とが協働して、本発明における遊技用装置として機能することとなる。
【０１３９】
また、本発明は、島端等に設けられる玉貸し機能を備えていない計数専用の計数装置と、前述の管理装置２０とを備えた貯玉管理システムに適用することもできる。
【０１４０】
かかるシステムに本発明を適用した場合には、島端等に設置される計数装置が本発明における遊技用装置として機能することとなる。なお、この場合、計数装置の利用者が貯玉に同意できない場合は、計数結果が印字されたレシートが発行される。
【図面の簡単な説明】
【０１４１】
【図１】第１実施形態に係る貯玉管理システムの構成を示す説明図である。
【図２】貯玉がない場合の暫定情報の表示態様を示す説明図である。
【図３】既に貯玉がある場合の暫定情報の表示態様を示す説明図である。
【図４】第１実施形態に係る台間装置及び管理装置の構成を示す機能ブロック図である。
【図５】第１実施形態に係る台間装置が備えるＣＰＵが実行する処理を示すフローチャートである。
【図６】第１実施形態に係る管理装置が備えるＣＰＵが実行する処理を示すフローチャートである。
【図７】第２実施形態に係る台間装置及び管理装置の構成を示す機能ブロック図である。
【図８】第２実施形態に係る台間装置が備えるＣＰＵが実行する処理を示すフローチャートである。
【図９】第２実施形態に係る管理装置が備えるＣＰＵが実行する処理を示すフローチャートである。
【図１０】第３実施形態に係る台間装置及び管理装置の構成を示す機能ブロック図である。
【図１１】ダブルサンド方式の各台計数システムを備えた貯玉管理システムを示す説明図である。
【符号の説明】
【０１４２】
１００  パチンコ台
１０  台間装置
１１  計数部
１２  カード受付部
１３  表示操作部
１４  計数結果送信部
１５  暫定情報受信部
２０  管理装置
２１  記憶部
２２  貯玉管理部
２３  暫定情報生成部
２４  暫定情報送信部
２５  計数結果受信部
２６  手数料設定部
３０  島コントローラ
４０  管理装置
４１  記憶部
４２  貯玉管理部
４３  貯遊技媒体数送信部
５０  台間装置
５１  計数部
５２  カード受付部
５３  表示操作部
５４  暫定情報生成部
５５  会員識別情報送信部
５６  貯遊技媒体数受信部
７０  計数ユニット
８０  ＣＲユニット
【図１】
2010200960.tif 000003
【図２】
2010200960.tif 000004
【図３】
2010200960.tif 000005
【図４】
2010200960.tif 000006
【図５】
2010200960.tif 000007
【図６】
2010200960.tif 000008
【図７】
2010200960.tif 000009
【図８】
2010200960.tif 000010
【図９】
2010200960.tif 000011
【図１０】
2010200960.tif 000012
【図１１】
2010200960.tif 000013